(57)【要約】【課題】大型化やコストアップすることなく、本体枠とガラス扉とのいずれかが開放されたことを１つの検知スイッチにより検知する。【解決手段】検知スイッチ６２は、ガラス扉１６に近い第１位置とガラス扉１６から遠い第２位置との間で移動自在に保持される。ガラス扉１６及び本体枠１４を閉じると、外枠１２により押圧されて検知スイッチ６２が第１位置に保持されるとともに、ガラス扉１６が検知部６２ｂを押圧して検知スイッチ６２がオフになる。ガラス扉１６を開くと、ガラス扉１６による押圧が解除され、検知スイッチ６２がオンになる。また、本体枠１４を開くと、外枠１２による押圧が解除され、コイルバネ６６の付勢により検知スイッチ６２が第２位置へ移動する。これにより、ガラス扉１６による押圧が解除され、検知スイッチ６２がオンになる。【選択図】図７
2008295953.tif 000002
【特許請求の範囲】
【請求項１】
島設備に固定される外枠と、遊技盤を保持するとともに前記外枠に開閉自在に保持された本体枠と、前記本体枠に軸着され前記遊技盤の前面を開閉自在に覆う前面扉とを備え、遊技中は前記本体枠及び前記前面扉がともに閉じ位置に係止されるパチンコ機において、
前記前面扉に設けられた被検知部と、
前記本体枠に設けられ、前記被検知部に近接または当接したことを検知する検知スイッチと、
前記検知スイッチを、前記本体枠の前面側であり前記前面扉が閉じ位置に移動された際に前記被検知部に近接または当接させて検知状態にする第１位置と、前記第１位置よりも前記本体枠の背面側であり前記前面扉の位置に関わらず前記被検知部から離間させて非検知状態にする第２位置との間でスライド自在に保持する保持手段と、
前記検知スイッチを前記第２位置へ向けて付勢する付勢手段と、
前記外枠に設けられ、前記本体枠が閉じ位置に移動された際に、前記付勢手段の付勢に抗して前記検知スイッチを前記第１位置に移動させる押圧部とを備えたことを特徴とするパチンコ機。
【請求項２】
前記被検知部は、前記本体枠及び前記前面扉を閉じ位置に移動させた際に、前記本体枠と前記前面扉との間隔が所定間隔以下となる場合、前記検知スイッチにより押圧されて弾性変形することを特徴とする請求項１記載のパチンコ機。
【請求項３】
前記保持手段は、前記検知スイッチが取り付けられ、前記検知スイッチとともにスライド移動するブラケットを備え、
前記付勢手段は、前記ブラケットと一体に形成され、前記外枠の押圧により弾性変形する突起であることを特徴とする請求項１または２記載のパチンコ機
【請求項４】
島設備に固定される外枠と、遊技盤を保持するとともに前記外枠に開閉自在に保持された本体枠と、前記本体枠に軸着され前記遊技盤の前面を開閉自在に覆う前面扉とを備え、遊技中は前記本体枠及び前記前面扉がともに閉じ位置に係止されるパチンコ機において、
前記外枠に設けられた被検知部と、
前記本体枠に設けられ、前記被検知部に近接または当接したことを検知する検知スイッチと、
前記検知スイッチを、前記本体枠の背面側であり前記本体枠が閉じ位置に移動された際に前記被検知部に近接または当接させて検知状態にする第１位置と、前記第１位置よりも前記本体枠の前面側であり前記本体枠の位置に関わらず前記被検知部から離間させて非検知状態にする第２位置との間でスライド自在に保持する保持手段と、
前記検知スイッチを前記第２位置へ向けて付勢する付勢手段と、
前記前面扉に設けられ、前記前面扉が閉じ位置に移動された際に、前記付勢手段の付勢に抗して前記検知スイッチを前記第１位置に移動させる押圧部とを備えたことを特徴とするパチンコ機。
【請求項５】
前記被検知部は、前記外枠を補強するための補強用金具と一体に形成され、
前記検知スイッチは、前記補強用金具を検知する近接センサから構成されることを特徴とする請求項４記載のパチンコ機。
【発明の詳細な説明】
【技術分野】
【０００１】
本発明は、パチンコ店などの遊技施設に設置されるパチンコ機に関するものである。
【背景技術】
【０００２】
パチンコ機は、パチンコ店の島設備に固定される外枠と、外枠に対して開閉自在に設けられた本体枠とを備えている。本体枠には、遊技球が打ち出される遊技領域が形成された遊技盤、パチンコ機の各部を駆動制御する制御基板などが搭載されている。また、本体枠の前面には、遊技盤を開閉自在に覆うガラス扉（前面扉）が設けられている。そして、パチンコ機では、ガラス扉ごと本体枠を開閉できる他、本体を閉じたままガラス扉のみを開閉できるようになっている。
【０００３】
さらに、パチンコ機には、本体枠が開放されたことを検知する検知スイッチと、ガラス扉が開放されたことを検知する検知スイッチとが設けられ、本体やガラス扉が開放されると、これが検知されるようになっている。しかし、２つの検知スイッチを設けるとコストがかかってしまうといった問題があった。
【０００４】
このため、下記特許文献１、２には、本体枠とガラス扉とのいずれかが開放されたことを１つの検知スイッチで検知するようにした装置が記載されている。この装置では、本体枠に切り欠きを設けている。そして、ガラス扉または外枠に、前述した切り欠きを介してガラス扉と外枠との距離が所定距離以内であるか否かを検知する検知スイッチを設けている。こうすることで、本体枠とガラス扉とのいずれかが開放されたことを、１つの検知スイッチで検知できるので、コストを抑えることができる。
【特許文献１】特許第３８４９４１４号公報
【特許文献２】特開２００６−１７４６５号公報
【発明の開示】
【発明が解決しようとする課題】
【０００５】
ところで、上述した検知スイッチは、ハーネスなどを介して本体枠の制御基板に接続する必要がある。しかしながら、上記特許文献１、２に記載されたパチンコ機では、検知スイッチがガラス扉もしくは外枠に設けられているため、ハーネスの取り回しが複雑になってしまい、大型化やコストアップしてしまうといった問題があった。
【０００６】
本発明は、上記背景を鑑みてなされたものであり、大型化やコストアップすることなく、本体枠とガラス扉とのいずれかが開放されたことを１つの検知スイッチにより検知できる遊技機を提供することを目的としている。
【課題を解決するための手段】
【０００７】
上記目的を達成するために本発明のパチンコ機は、島設備に固定される外枠と、遊技盤を保持するとともに前記外枠に開閉自在に保持された本体枠と、前記本体枠に軸着され前記遊技盤の前面を開閉自在に覆う前面扉とを備え、遊技中は前記本体枠及び前記前面扉がともに閉じ位置に係止されるパチンコ機において、前記前面扉に設けられた被検知部と、前記本体枠に設けられ、前記被検知部に近接または当接したことを検知する検知スイッチと、前記検知スイッチを、前記本体枠の前面側であり前記前面扉が閉じ位置に移動された際に前記被検知部に近接または当接させて検知状態にする第１位置と、前記第１位置よりも前記本体枠の背面側であり前記前面扉の位置に関わらず前記被検知部から離間させて非検知状態にする第２位置との間でスライド自在に保持する保持手段と、前記検知スイッチを前記第２位置へ向けて付勢する付勢手段と、前記外枠に設けられ、前記本体枠が閉じ位置に移動された際に、前記付勢手段の付勢に抗して前記検知スイッチを前記第１位置に移動させる押圧部とを備えたことを特徴としている。
【０００８】
前記被検知部は、前記本体枠及び前記前面扉を閉じ位置に移動させた際に、前記本体枠と前記前面扉との間隔が所定間隔以下となる場合、前記検知スイッチにより押圧されて弾性変形することが好ましい。
【０００９】
さらに、前記保持手段は、前記検知スイッチが取り付けられ、前記検知スイッチとともにスライド移動するブラケットを備え、前記付勢手段は、前記ブラケットと一体に形成され、前記外枠の押圧により弾性変形する突起であることが好ましい。
【００１０】
また、本発明のパチンコ機は、島設備に固定される外枠と、遊技盤を保持するとともに前記外枠に開閉自在に保持された本体枠と、前記本体枠に軸着され前記遊技盤の前面を開閉自在に覆う前面扉とを備え、遊技中は前記本体枠及び前記前面扉がともに閉じ位置に係止されるパチンコ機において、前記外枠に設けられた被検知部と、前記本体枠に設けられ、前記被検知部に近接または当接したことを検知する検知スイッチと、前記検知スイッチを、前記本体枠の背面側であり前記本体枠が閉じ位置に移動された際に前記被検知部に近接または当接させて検知状態にする第１位置と、前記第１位置よりも前記本体枠の前面側であり前記本体枠の位置に関わらず前記被検知部から離間させて非検知状態にする第２位置との間でスライド自在に保持する保持手段と、前記検知スイッチを前記第２位置へ向けて付勢する付勢手段と、前記前面扉に設けられ、前記前面扉が閉じ位置に移動された際に、前記付勢手段の付勢に抗して前記検知スイッチを前記第１位置に移動させる押圧部とを備えたことを特徴としている。
【００１１】
前記被検知部は、前記外枠を補強するための補強用金具と一体に形成され、前記検知スイッチは、前記補強用金具を検知する近接センサから構成されることが好ましい。
【発明の効果】
【００１２】
請求項１記載のパチンコ機では、ガラス扉（前面扉）を開くと被検知部が検知スイッチから離れ、本体枠を開くと付勢手段の付勢により検知スイッチが被検知部から離れる。また、請求項４記載のパチンコ機では、本体枠を開くと被検知部が検知スイッチから離れ、ガラス扉を開くと付勢手段の付勢により検知スイッチが被検知部から離れる。これにより、本発明によれば、１つの検知スイッチにより、本体枠とガラス扉とのいずれかが開放されたことを検知できる。
【００１３】
また、本発明のパチンコ機では、検知スイッチが本体枠に設けられている。このため、本発明によれば、検知スイッチがガラス扉もしくは外枠に設けられている場合と比較して、検知スイッチを本体枠に接続するためのハーネスが不要となる。このため、大型化やコストアップを抑えることが可能である。
【００１４】
さらに、本体枠やガラス扉が閉じられた際に、被検知部が変形するようにすれば、製造誤差による本体枠やガラス扉のガタつきを吸収できるので、本体枠やガラス扉が開放されたか否かを確実に検知できる。
【００１５】
また、ブラケットと一体に形成された突起によりブラケットを付勢するようにすれば、ブラケットとは別体に設けたコイルバネや板バネなどによりブラケットを付勢する場合と比較してコストを抑えることができる。
【００１６】
さらに、検知スイッチとして近接センサを用いた場合、この近接センサによりガラス扉や外枠を補強するための補強用金具を検知するようにすれば、検知用金具を別途設ける場合と比較してコストを抑えることができる。
【発明を実施するための最良の形態】
【００１７】
図１、図２、図３に示すように、パチンコ機（遊技機）１０は、外枠１２と、本体枠１４とを備えている、外枠１２は略矩形に形成され、遊技施設（パチンコ店など）に固定されている。本体枠１４は、一側部が外枠１２に軸着されて、図１に示すように、他側部を外枠１２に近接させた閉じ位置と、図２に示すように、他側部を外枠１２から離間させた開き位置との間で回動自在となっている。
【００１８】
本体枠１４の前面側には、ガラス扉（前面扉）１６、遊技球の受け皿１８、遊技球を発射させる操作ハンドル２０が設けられている。ガラス扉１６は、一側部が本体枠１４に軸着されて、図１に示すように、他側部を本体枠１４に近接させた閉じ位置と、図３に示すように、他側部を本体枠１４から離間させた開き位置との間で回動自在となっている。
【００１９】
ガラス扉１６の背後には、遊技盤２２が配置されており、ガラス扉１６を介して遊技盤２２を視認できる。遊技盤２２の前面には、遊技球が打ち出される遊技領域２４が設けられている。遊技領域２４には、役物２６、入賞口２８、アタッカ３０、アウト口３２や、遊技釘、風車などが設けられている。
【００２０】
図４に示すように、本体枠１４の背面側には、遊技球を受けるための遊技球タンク４０、遊技球タンク４０に貯留された遊技球を受け皿１８に払いだす払い出し装置４２、電源基盤ケース４４、保護カバー４６が設けられている。電源基盤ケース４４には、パチンコ機１０の各部に電源を供給する電源基板が収められている。保護カバー４６は、パチンコ機１０の各部を駆動制御する制御基板４８（図６参照）や、役物に搭載された表示装置を制御する表示制御基板などを覆うように設けられている。
【００２１】
また、図５に示すように、パチンコ機１０には、本体枠１４、ガラス扉１６のいずれかが開き位置へ移動されたことを検知する開放検知機構５０が設けられている。開放検知機構５０は、被検知部５２、押圧部５４、検知スイッチ保持機構（保持手段）５６を備えている。被検知部５２は凸部を背面側に向けた突起からなり、ガラス扉１６の背面に配置される。また、押圧部５４は外枠１２を補強するための補強用金具５８に取り付けられており、外枠１２の内側へ向けて突出するように形成されている。検知スイッチ保持機構５６は本体枠１４に設けられ、本体枠１４及びガラス扉１６を閉じた際に、被検知部５２と押圧部５４との間に挟まれるように配置される。
【００２２】
図６に示すように、検知スイッチ保持機構５６は、検知スイッチ６２が取り付けられたブラケット６０と、このブラケット６０を前後にスライド自在に保持するホルダ６４とを備えている。検知スイッチ６２は、ブラケット６０の移動に伴って被検知部５２に近い第１位置（図７（Ａ）、同図（Ｂ）参照）と、被検知部５２から遠い第２位置（図７（Ｃ）参照）との間を移動する。ブラケット６０は、コイルバネ６６により背面側へ向けて付勢されており、検知スイッチ６２は、ブラケット６０が押圧部５４により押圧されることで第１位置に移動し、ブラケット６０の押圧が解除されることで第２位置に移動する。
【００２３】
検知スイッチ６２は、ブラケット６０に取り付けられるスイッチ本体６２ａ、このスイッチ本体６２ａから突出した突出位置（図７（Ｂ）、同図（Ｃ）参照）とスイッチ本体６２ａに収められた収納位置（図７（Ａ）参照）との間で移動自在の検知部６２ｂを備えている。
【００２４】
そして、検知スイッチ６２は、検知部６２ｂが被検知部５２により押圧されて収納位置へ移動することでオフとなる。また、検知スイッチ６２は、検知部６２ｂを突出位置へ向けて付勢する付勢手段（図示せず）を備え、被検知部５２が検知部６２ｂを押圧していないときは検知部６２ｂが突出位置に移動してオンとなる。
【００２５】
図７（Ａ）に示すように、ガラス扉１６及び本体枠１４が閉じ位置にあるときは、ブラケット６０が押圧部５４により押圧されて第１位置に保持されるとともに、検知部６２ｂが被検知部５２により押圧されて収納位置に保持される。これにより、検知スイッチ６２がオフとなる。
【００２６】
他方、図７（Ｂ）に示すように、ガラス扉１６が開き位置に移動された場合、スイッチ本体６２ａから被検知部５２が離れるため、検知部６２ｂが突出位置に移動して検知スイッチ６２がオンとなる。また、同図（Ｃ）に示すように、本体枠１４が開き位置に移動された場合、ブラケット６０が押圧部５４から離れ、コイルバネ６６の付勢により第２位置に移動する。これにより、スイッチ本体６２ａが被検知部５２から離れ、検知部６２ｂが突出位置に移動して検知スイッチ６２がオンとなる。
【００２７】
図６に戻り、制御基板４８には、ＣＰＵ７０が設けられ、さらにＣＰＵ７０には開放検知部７２が設けられている。検知スイッチ６２は、開放検知部７２に接続されている。開放検知部７２は、検知スイッチ６２のオンオフを監視しており、検知スイッチ６２がオンとなった場合に、本体枠１４、ガラス扉１６のいずれかが開き位置に移動されたと検知して、この旨を示す信号を出力する。ＣＰＵ７０は、この信号の出力を受けて、例えば、スピーカから報知音を出力したり、ホールコンピュータに信号を出力することによって、この旨を報知する。
【００２８】
なお、本発明は、パチンコ機の本体枠に設けた１つの検知スイッチにより、本体枠、ガラス扉のいずれかが開き位置に移動された際に、これを検知すればよいので、細部の構成は上記実施形態に限定されるものではない。例えば、上記実施形態では、外枠の補強用金具に押圧部を取り付ける例で説明をしたが、外枠の他の部分に押圧部を設けてもよい。
【００２９】
また、上記実施形態では、ブラケットを第２位置へ向けて付勢するためにコイルバネを用いる例で説明をしたが、本発明はこれに限定されるものではない。コイルバネに代えて板バネなど周知の付勢手段を用いてもよい。さらに、図８（Ａ）、同図（Ｂ）に示すように、ブラケット８０と一体に形成された突起８２により、ブラケット８０を第２位置へ向けて付勢してもよい。なお、図８以降の図面を用いた説明では、上述した実施形態と同様の部材については同様の符号を付して説明を省略している。
【００３０】
図８（Ａ）において、ブラケット８０は、例えば、プラスチックなどの弾性体から形成される。突起８２は、ブラケット８０から前方へ向けて延びるように形成されている。そして、突起８２は、ブラケット８０を第２位置へ向けて付勢する。また、同図（Ｂ）に示すように、本体枠１４が閉じ位置にあるとき突起８２は、押圧部５４の押圧により弾性変形する。このように、ブラケットと一体に付勢手段を設けることで、部材数の増加を抑えられるだけでなく、組み立ても簡単であり、コストを抑えることができる。
【００３１】
さらに、パチンコ機には個体差があり、ガラス扉及び本体枠を閉じていてもガラス扉と本体枠との間の隙間の大きさにはバラつきが生じる。このため、前記隙間が大きいとガラス扉や本体枠が閉じ位置にあるにも関わらず、開き位置にあると検知されてしまう場合がある。このような、問題を防止するために、図９に示すような被検知部９０を用いて、ガラス扉１６と本体枠１４との間の隙間のバラつきを吸収してもよい。
【００３２】
図９において、被検知部９０は、ステー９２の先端部に、凸部を背面に向けた突起９４が取り付けられたものであり、プラスチックなど弾性を有する材料から形成されている。そして、被検知部９０は、検知部６２ｂを突出位置に付勢する付勢力よりも大きな力で突起９４が押圧されると、ステー９２の基端部を中心に弾性変形する。
【００３３】
こうすることで、図１０（Ａ）に示すように、ガラス扉１６と本体枠１４との間の隙間が小さい場合、ガラス扉１６及び本体枠１４を閉じると、検知部６２ｂが収納位置に移動した後、被検知部９０が弾性変形する。また、同図（Ｂ）に示すように、ガラス扉１６と本体枠１４との間の隙間が大きい場合、ガラス扉１６及び本体枠１４を閉じると、被検知部９０が弾性変形せず、検知部６２ｂが収納位置に移動する。このように、ガラス扉１６と本体枠１４との間の隙間のバラつきを被検知部９０により吸収することで、ガラス扉１６や本体枠１４が開放されたか否かをより確実に検知できる。
【００３４】
もちろん、ガラス扉と本体枠との間の隙間のバラつきを吸収する機能を被検知部以外に付加してもよい。具体的には、図１１に示すように、弾性を有する材料から形成されたダンパー１１０を介して、ブラケット１１２に検知スイッチ６２を取り付けるといったことが考えられる。このダンパー１１０もまた、検知部６２ｂを突出位置へ付勢する付勢力よりも大きな力を受けると弾性変形するように形成される。
【００３５】
こうすることで、ガラス扉１６と本体枠１４との間の隙間のバラつきを吸収できる。また、本例では、外枠１２と本体枠１４との間の隙間のバラつきも吸収できるので、より確実にガラス扉１６や本体枠１４が開放されたか否かを検知できる。なお、このようなダンパーをブラケットと押圧部との間に設けてよい。
【００３６】
なお、上記実施形態では、検知スイッチとして、ガラス扉、本体枠のいずれかが開き位置へ移動された際にオンとなるスイッチを用いる例で説明をしたが、ガラス扉、本体枠のいずれかが開き位置へ移動された際に、オフとなるスイッチを用いてもよい。もちろん、これ以外の周知の構造のスイッチを検知スイッチとして用いてもよい。さらには、近接センサや、赤外線センサなど周知のセンサを検知スイッチとして用いることも可能である。
【００３７】
また、上記実施形態では、ガラス扉と検知スイッチとの距離に基づいて、ガラス扉、本体枠のいずれかが開放されたことを検知する例で説明をしたが、本発明はこれに限定されるものではない。図１２に示す開放検知機構１２０のように、上記実施形態に対して前後を逆転させ、外枠１２と検知スイッチ１２２との距離に基づいて、ガラス扉１６、本体枠１４のいずれかが開放されたことを検知してもよい。
【００３８】
図１２において、開放検知機構１２０は、ガラス扉１６に設けられた突起からなり背面側に凸部を向けた押圧部１２４と、外枠１２の補強用金具５８の一部である被検知部１２６と、本体枠１４に設けられた検知スイッチ保持機構１２８とから構成される。検知スイッチ保持機構１２８は、ガラス扉１６及び本体枠１４を閉じた際に、押圧部１２４と被検知部１２６との間に挟まれるように配置される。
【００３９】
検知スイッチ保持機構（保持手段）１２８は、金属を検知する検知部１２２ａを背面側に向けた近接センサからなる検知スイッチ１２２を保持するブラケット１３２と、本体枠１４に固定され、ブラケット１３２を前後にスライド自在に保持するホルダ１３４と、ブラケット１３２を前面側へ向けて付勢するコイルバネ１３６とを備えている。そして、検知スイッチ１２２は、ブラケット１３２の移動に伴って被検知部１２６に近い第１位置と被検知部１２６から遠い第２位置との間を移動する。
【００４０】
この開放検知機構１２０では、ガラス扉１６及び本体枠１４が閉じ位置にあるときは、押圧部１２４により押圧されブラケット１３２が第１位置に保持され、また、被検知部１２６と検知スイッチ１２２との距離も近いので、検知スイッチ１２２が被検知部１２６を検知してオンとなる。
【００４１】
他方、本体枠１４が開き位置にあるときは、被検知部１２６と検知スイッチ１２２との距離が離れるので、検知スイッチ１２２が被検知部１２６を検知できずにオフとなる。また、ガラス扉１６が開き位置にあるときは、押圧部１２４が本体枠１４から離れ、ブラケット１３２が第２位置へ移動する。これにより、被検知部１２６と検知スイッチ１２２との距離が離れるので、検知スイッチ１２２が被検知部１２６を検知できずにオフとなる。
【００４２】
このような構成によっても上述した実施形態と同様の効果を得ることができる。また、この構成によれば、被検知部１２６が外枠１２の補強用金具５８の一部であるため、補強用金具とは別に被検知部を設ける場合と比較して構成を簡略化してコストを抑えることができる。
【図面の簡単な説明】
【００４３】
【図１】パチンコ機の前面側外観図である。
【図２】本体枠を開放した状態を示すパチンコ機の前面側外観図である。
【図３】ガラス扉を開放した状態を示すパチンコ機の前面側外観図である。
【図４】パチンコ機の背面側外観図である。
【図５】開放検知機構を示す説明図である。
【図６】開放検知機構の構成図である。
【図７】ガラス扉や本体枠が開放されることで検知スイッチがオンとなる様子を示す説明図である。
【図８】コイルバネに代えて弾性を有する突起を設けた例を示す説明図である。
【図９】ガラス扉と本体枠との間の隙間のバラつきが吸収する被検知部の外観図である。
【図１０】ガラス扉と本体枠との間の隙間のバラつきが吸収される様子を示す説明図である。
【図１１】検知スイッチとブラケットとの間にダンパーを設けた例を示す説明図である。
【図１２】外枠と本体枠との距離に基づいてガラス扉や本体枠が開放されたことを検知する開放検知機構の説明図である。
【符号の説明】
【００４４】
１０  パチンコ機（遊技機）
１２  外枠
１４  本体枠
１６  ガラス扉（前面扉）
４８  制御基板
５０、１２０  開放検知機構
５２、９０、１２６  被検知部
５４、１２４  押圧部
５６、１２８  検知スイッチ保持機構
５８  補強用金具
６０、８０、１１２、１３２  ブラケット
６２、１２２  検知スイッチ
６６、１３６  コイルバネ
７０  ＣＰＵ
７２  開放検知部
８２  突起
１１０  ダンパー
【図１】
2008295953.tif 000003
【図２】
2008295953.tif 000004
【図３】
2008295953.tif 000005
【図４】
2008295953.tif 000006
【図５】
2008295953.tif 000007
【図６】
2008295953.tif 000008
【図７】
2008295953.tif 000009
【図８】
2008295953.tif 000010
【図９】
2008295953.tif 000011
【図１０】
2008295953.tif 000012
【図１１】
2008295953.tif 000013
【図１２】
2008295953.tif 000014